(57)【要約】【課題】フィルタ組立体を提供する。【解決手段】フィルム型フィルタ１７と、フィルム型フィルタの一側に形成されて、フィルム型フィルタをディスプレイパネルに直接接着させ、ディスプレイパネルで生成された光を集束する接着パターン層１５と、を備える。【選択図】図１
2007264629.tif 000002
【特許請求の範囲】
【請求項１】
フィルム型フィルタと、
前記フィルム型フィルタの一側に形成されて前記フィルム型フィルタをディスプレイパネルに直接接着させ、前記ディスプレイパネルで生成された光を集束する接着パターン層と、を備えるフィルタ組立体。
【請求項２】
接着パターン層は、前記ディスプレイパネルに対向する方向に形成された複数の凸部を備えることを特徴とする請求項１に記載のフィルタ組立体。
【請求項３】
前記凸部は、凸レンズの形状を有することを特徴とする請求項２に記載のフィルタ組立体。
【請求項４】
前記フィルム型フィルタは、ベースフィルムを備えることを特徴とする請求項１に記載のフィルタ組立体。
【請求項５】
前記ベースフィルムの屈折率は、前記接着パターン層の屈折率よりも大きいことを特徴とする請求項４に記載のフィルタ組立体。
【請求項６】
前記ベースフィルムの屈折率は、１.４から１.６であることを特徴とする請求項５に記載のフィルタ組立体。
【請求項７】
前記接着パターン層の屈折率は、１.２から１.５であることを特徴とする請求項５に記載のフィルタ組立体。
【請求項８】
前記接着パターン層は、アクリル系、シリコン系、ウレタン系及びポリエステル系からなる群から少なくとも一つを含む素材で形成されたことを特徴とする請求項１に記載のフィルタ組立体。
【請求項９】
前記フィルム型フィルタは、前記ベースフィルムに対して前記接着パターン層の反対側に形成されて、外部から入射される光を吸収する複数の光吸収パターン部をさらに備えることを特徴とする請求項４に記載のフィルタ組立体。
【請求項１０】
前記ベースフィルムに対する前記接着パターン層の反対側には、複数のグルーブが形成されており、
前記光吸収パターン部は、前記グルーブ内に形成されることを特徴とする請求項９に記載のフィルタ組立体。
【請求項１１】
前記光吸収パターン部は、暗色を帯びることを特徴とする請求項９に記載のフィルタ組立体。
【請求項１２】
前記凸部と前記光吸収パターン部とは、交互に配置されていることを特徴とする請求項９に記載のフィルタ組立体。
【請求項１３】
前記光吸収パターン部は、全体的に格子状に形成されることを特徴とする請求項１２に記載のフィルタ組立体。
【請求項１４】
前記凸部は、マトリックスパターンに形成されていることを特徴とする請求項１２に記載のフィルタ組立体。
【請求項１５】
前記フィルム型フィルタは、前記ベースフィルムの一側に配置される電磁気波遮蔽層をさらに備えることを特徴とする請求項４に記載のフィルタ組立体。
【請求項１６】
請求項１から請求項１５のうちの何れか１項に記載のフィルタ組立体がディスプレイパネルに直接付着されていることを特徴とするプラズマディスプレイ装置。
【発明の詳細な説明】
【技術分野】
【０００１】
本発明は、ディスプレイパネル用フィルタ組立体及び前記ディスプレイパネル用フィルタ組立体を含むプラズマディスプレイ装置に関する。
【背景技術】
【０００２】
ラズマディスプレイ装置は、ガス放電現象を利用して画像を表示する平板ディスプレイ装置であって、輝度、コントラスト、残像及び視野角などの各種の表示能力に優れ、薄型であり、かつ大画面表示が可能である。したがって、プラズマディスプレイ装置は、次世代大型平板ディスプレイ装置として注目されている。
【０００３】
しかし、従来のプラズマディスプレイ装置では、プラズマディスプレイパネル（ＰＤＰ：Ｐｌａｓｍａ Ｄｉｓｐｌａｙ Ｐａｎｅｌ）の前面基板と強化ガラスフィルタとの間で、その材質の差による屈折現象によって画像が二重に反射されるという問題がある。また、前記強化ガラスフィルタは、外部の衝撃に耐えるように一定の厚さ（約３ｍｍ）を維持するので、重量及びコストが増加するという問題があった。それだけでなく、既存の強化ガラスフィルタは、多様な機能を担うフィルムが複合的になされた非常に複雑な構造を有しているので、製造工程が多く、かつコストが増加するという問題があった。
【発明の開示】
【発明が解決しようとする課題】
【０００４】
本発明は、映像が二重に反射されるという現象を軽減し、重量が減少できるフィルタ組立体及び前記フィルタ組立体を含むディスプレイ装置を提供することを目的とする。
【課題を解決するための手段】
【０００５】
本発明は、フィルム型フィルタと、前記フィルム型フィルタの一側に形成されて、前記フィルム型フィルタをディスプレイパネルに直接接着させ、前記ディスプレイパネルで生成された光を集束する接着パターン層と、を備えるフィルタ組立体を提供する。
【０００６】
本発明において、接着パターン層は、前記ディスプレイパネルに対向する方向に形成された複数の凸部を備え、前記凸部は、凸レンズの形状を有しうる。
【０００７】
また、本発明において、前記フィルム型フィルタは、ベースフィルムを備え、前記ベースフィルムの屈折率は、前記接着パターン層の屈折率よりも大きい。前記ベースフィルムの屈折率は、１.４から１.６であり、前記接着パターン層の屈折率は、１.２から１.５でありうる。
【０００８】
また、本発明において、前記接着パターン層は、アクリル系、シリコン系、ウレタン系及びポリエステル系からなる少なくとも一つを含みうる。
【０００９】
また、本発明において、前記フィルム型フィルタは、前記ベースフィルムに対して前記接着パターン層の反対側に形成され、外部から入射される光を吸収する複数の光吸収パターン部をさらに備えうる。前記ベースフィルムに対する前記接着パターン層の反対側には、複数のグルーブが形成されており、前記光吸収パターン部は、前記グルーブ内に形成され、前記光吸収パターン部は、暗色を有しうる。
【００１０】
また、本発明において、前記凸部と前記光吸収パターン部とは、交互に配置されうる。前記光吸収パターン部は、全体的に格子状に形成され、前記凸部は、マトリックスパターンに形成されうる。
【発明の効果】
【００１１】
本発明によるフィルタ組立体及びそれを備えるプラズマディスプレイ装置では、フィルム組立体がＰＤＰの前面に直接付着されるため、映像が二重に反射されるという現象を軽減できる。また、厚さが相対的に薄いベースフィルムを利用して形成されるため、重量が減少し、コストが低減しうる。また、透過率が向上する。
【発明を実施するための最良の形態】
【００１２】
以下、添付された図面を参照して本発明の実施形態を説明する。
【００１３】
図１には、本発明の一実施形態によるフィルタ組立体１０の部分断面図が示されている。
【００１４】
図１を参照すれば、フィルタ組立体１０は、フィルム型フィルタ１７と接着パターン層１５とに大別される。フィルム型フィルタ１７は、ベースフィルム１３を備える。ベースフィルム１３は、可視光線を透過できる材質で製造され、柔軟な材質で製造されうる。
【００１５】
ベースフィルム１３に対してさらに詳細に説明すれば、次の通りである。ベースフィルム１３は、全体的に平板形状を有し、ポリエーテルスルホン（ＰＥＳ）、ポリアクリレート（ＰＡＲ）、ポリエーテルイミド（ＰＥＩ）、ポリエチレナフタレート（ＰＥＮ）、ポリエチレンテレフタレート（ＰＥＴ）、ポリフェニレンスルフィド（ＰＰＳ）、ポリアリレート、ポリイミド、ポリカーボネート（ＰＣ）、セルローストリアセテート（ＴＡＣ）、セルロースアセテートプロピオネート（ＣＡＰ）で形成されうる。
【００１６】
ベースフィルム１３は、所定の色相を有するように着色されうる。したがって、ベースフィルム１３の着色条件を調節することによって、フィルタ組立体１０の全体の可視光の透過率を調節しうる。例えば、ベースフィルム１３を暗い色相を有するように形成する場合、可視光線透過率が低下する。それだけでなく、ベースフィルム１３は、近赤外線またはネオン光を遮蔽する物質を含みうる。また、ベースフィルム１３は、色補正を行うための物質を含みうる。
【００１７】
フィルム型フィルタ１７は、ベースフィルム１３上に形成される光吸収パターン部１１をさらに含む。ベースフィルム１３上には、所定のパターンを有するようにグルーブ１３ａが形成されており、グルーブ１３ａ内に光吸収パターン部１１が配置される。図２にグルーブ１３ａ内に配置されている光吸収パターン部１１を示した部分斜視図が示されている。図１及び図２を参照すれば、光吸収パターン部１１は、全体的に格子状に形成される。
【００１８】
光吸収パターン部１１は、外部から入射される光を吸収することによって、反射輝度を低下させる機能を担う。光吸収パターン部１１は、Ａｇ、Ｎｉ、Ｃｕ、Ｃｒを含む金属材料のうちから選択された材料で形成されうる。光吸収パターン部１１は、暗色を帯びる材料、特に、黒色を帯びる材料で形成されうる。
【００１９】
ベースフィルム１３上には、接着パターン層１５が形成されている。接着パターン層１５は、フィルム型フィルタ１７とＰＤＰ（図示せず）とを接着する機能を担い、ＰＤＰで生成された光を集束する。図３に接着パターン層１５の構造を示すフィルム組立体１０の斜視図が示されている。図１及び図３を参照すれば、接着パターン層１５は、フィルム組立体１０の後方（ディスプレイパネルに対向する方向）に向けて凸状に形成された複数の凸部１２を備える。凸部１２は、それぞれ凸レンズの形状を有し、マトリックスパターンをなすように配置されている。凸部１２は、ＰＤＰのサブピクセルに対応する放電セルごとに２個から４個が配置されうるサイズを有する。但し、凸部１２の形状及びサイズは、前述したところに限定されない。
【００２０】
接着パターン層１５は、アクリル系、シリコン系、ウレタン系またはポリエステル系で形成されるか、またはこれらの複合体で形成されうる。接着パターン層１５は、近赤外線を吸収する物質を含みうる。このような物質は、銅化合物、タングステン系化合物、リン化合物またはシアニン系化合物がある。また、接着パターン層１５は、ネオン光を遮断して色補正を行う物質をさらに含みうる。
【００２１】
接着パターン層１５の屈折率は、ベースフィルム１３の屈折率よりも小さい。ベースフィルム１３の屈折率は、１.４から１.６であり、接着パターン層１５の屈折率は、１.２から１.５である。また、光吸収パターン部１１は、凸部１２と交互に配置されている。すなわち、光吸収パターン部１１は、凸部１２を遮蔽しないように配置される。かかる相対的な配置は、ＰＤＰの光集束を最大化し、外光の反射を最大限防止するためである。屈折率及び配置位置についての詳細な事項は、後述する。
【００２２】
図４は、図１に示されたフィルタ組立体１０の光学メカニズムを説明するための断面図である。ＰＤＰで生成される光は、直線光と拡散光とに大別される。直線光は、フィルタ組立体１０に実質的に垂直方向に入射する。図４を参照すれば、第１直線光ｆ１は、凸部１２に垂直方向に入射した後、屈折せずに前方に直進して出射する。第２直線光ｆ２は、凸部１２のエッジに入射した後、凸部１２とベースフィルム１３との境界面１９で屈折される。屈折された第２直線光ｆ２は、光吸収パターン部１１の間の空間を通じて外部に出射される。光吸収パターン部１１と凸部１２とが交互に配置されているため、屈折された光が光吸収パターン部１１に吸収されない。
【００２３】
拡散光ｆ３は、フィルタ組立体１０に斜線方向に入射する。拡散光ｆ３は、凸部１２によって屈折された後、凸部１２とベースフィルム１３との境界面１９で再び屈折される。ベースフィルム１３の屈折率が凸部１２の屈折率よりも大きいため、境界面１９で屈折された拡散光ｆ３において、入射角θ１が出射角θ２よりも大きくなる。したがって、屈折された拡散光ｆ３は、光吸収パターン部１１の間の空間を通じて外部に出射される。
【００２４】
以上のように、ＰＤＰで生成された光ｆ１,ｆ２,ｆ３は、損失なく前方に集束されて出射されるので、輝度の損失が発生しない。しかし、外部から入射された外光ｇは、光吸収パターン部１１に吸収されるため、反射輝度が低下する。
【００２５】
図５には、本発明の他の実施形態によるフィルタ組立体２０の部分断面図が示されている。図５を参照すれば、フィルタ組立体２０は、フィルム型フィルタ２７と接着パターン層２５とに大別される。
【００２６】
フィルム型フィルタ２７は、ベースフィルム２３を備える。また、フィルム型フィルタ２７は、ベースフィルム２３上に形成される光吸収パターン部２１をさらに備える。ベースフィルム２３上には、所定のパターンを有するようにグルーブ２３ａが形成されており、グルーブ２３ａ内に光吸収パターン部２１が配置される。光吸収パターン部２１の構造及び材料的事項は、図１に示された光吸収パターン部１１と類似しているところ、ここでは省略する。
【００２７】
フィルム型フィルタ２７は、ベースフィルム２３の前面に配置される外光反射防止層２４をさらに備えうる。外光反射防止層２４は、外光を反射する機能を担い、アンチグレア層または反射防止層が選択されて形成されうる。ベースフィルム２３上にネオン光遮断層、近赤外線遮断層または色補正層、外光反射防止層２４が単独または複数形成されることもある。
【００２８】
フィルム型フィルタ２７は、ベースフィルム２３の背面に配置される電磁気波遮蔽層２６をさらに備えうる。電磁気波遮蔽層２６は、ＰＤＰで発生する人体に有害な電磁気波を遮蔽する。電磁気波遮蔽層２６は、１層以上の金属層または金属酸化物層を積層して形成されうる。また、電磁気波遮蔽層２６は、導電性金属を利用してメッシュ状に形成されることもある。
【００２９】
電磁気波遮蔽層２６上には、接着パターン層２５が形成されている。接着パターン層２５は、フィルム型フィルタ２７とＰＤＰ（図示せず）とを接着する機能を行い、ＰＤＰで生成された光を集束する。接着パターン層２５は、フィルム組立体２０の後方に向けて凸状に形成された複数の凸部２２を備える。接着パターン層２５の構造及び材料についての事項は、図１の接着パターン層１５と類似しているので、ここでは省略する。
【００３０】
接着パターン層２５の屈折率は、ベースフィルム２３の屈折率よりも小さい。ベースフィルム２３の屈折率は、１.４から１.６であり、接着パターン層２５の屈折率は、１.２から１.５である。また、光吸収パターン部２１は、凸部２２と交互に配置されている。
【００３１】
図６には、本発明の一実施形態によるフィルタ組立体１０を備えるプラズマディスプレイ装置１００が示されており、図７には、図６のVII−VII線による断面図が示されている。
【００３２】
プラズマディスプレイ装置１００は、ＰＤＰ１５０、シャーシ１３０及び回路部１４０を備える。ＰＤＰ１５０は、ガス放電によって画像を具現し、相互に結合される前方パネル１５１及び後方パネル１５２を備える。
【００３３】
フィルタ組立体１０が接着パターン層１５の接着力によって、ＰＤＰ１５０の前面に付着される。ここでは、一実施形態によるフィルタ組立体１０が配置されるが、一実施形態のフィルタ組立体１０にのみ限定されず、他の実施形態のフィルタ組立体２０を備える本発明の特徴が反映された多様な形態の変形されたフィルタを使うことができる。
【００３４】
フィルタ組立体１０が実質的にＰＤＰ１５０の前面に直接的に付着されるため、映像が二重に反射されるという現象が基本的に解消される。また、従来の強化ガラスフィルタに比べて、重量が減少し、コストが低減する効果を有する。
【００３５】
シャーシ１３０は、ＰＤＰ１５０の後方に配置されてＰＤＰ１５０を構造的に支持する機能を担う。シャーシ１３０は、剛性に優れた金属材料のアルミニウム、鉄で形成されるか、またはプラスチックで形成されることが望ましい。
【００３６】
ＰＤＰ１５０とシャーシ１３０との間には、熱伝導部材１５３が配置されている。また、熱伝導部材１５３の周囲に沿って複数の両面テープ１５４が配置されるが、両面テープ１５４は、ＰＤＰ１５０とシャーシ１３０とを相互に固定する機能を担う。
【００３７】
シャーシ１３０の後方には、回路部１４０が配置されるが、回路部１４０は、ＰＤＰ１５０を駆動する回路が配線される。回路部１４０は、信号伝達手段によって電気的信号をＰＤＰ１５０に伝達する。信号伝達手段としては、ＦＰＣ（Ｆｌｅｘｉｂｌｅ Ｐｒｉｎｔｅｄ Ｃａｂｌｅ）、ＴＣＰ（Ｔａｐｅ Ｃａｒｒｉｅｒ Ｐａｃｋａｇｅ）、ＣＯＦ（Ｃｈｉｐ Ｏｎ Ｆｉｌｍ）が選択されて使われる。本実施形態によれば、シャーシ１３０の左側及び右側には、信号伝達手段としてＦＰＣ１６１が配置されており、シャーシ１３０の上側及び下側には、信号伝達手段としてＴＣＰ１６０が配置されている。
【００３８】
本発明は、図面に示した実施形態を参照して説明されたが、それは、例示的なものに過ぎず、当業者ならば、これから多様な変形及び均等な他の実施形態が案出可能であるということが分かるであろう。したがって、本発明の真の技術的保護範囲は、特許請求の範囲の技術的思想によって決定されなければならない。
【産業上の利用可能性】
【００３９】
本発明は、ディスプレイパネル関連の技術分野に適用可能である。
【図面の簡単な説明】
【００４０】
【図１】本発明の一実施形態によるフィルム型フィルタの部分断面図である。
【図２】図１に示された光吸収パターン部の形状を示すフィルム型フィルタの斜視図である。
【図３】図１に示された接着パターン層の形状を示すフィルム型フィルタの他の斜視図である。
【図４】図１に示されたフィルタ組立体の光学メカニズムを説明するための断面図である。
【図５】本発明の他の実施形態によるフィルム型フィルタの部分断面図である。
【図６】図１に示されたフィルム型フィルタを備えるプラズマディスプレイ装置を示す図面である。
【図７】図６のVII−VIIによる断面図である。
【符号の説明】
【００４１】
１０，２０・・・フィルタ組立体、
１１，２１・・・光吸収パターン部、
１２，２２・・・凸部、
１３，２３・・・ベースフィルム、
１５，２５・・・接着パターン層、
１７，２７・・・フィルム型フィルタ、
１００・・・プラズマディスプレイ装置。
【図１】
2007264629.tif 000003
【図２】
2007264629.tif 000004
【図３】
2007264629.tif 000005
【図４】
2007264629.tif 000006
【図５】
2007264629.tif 000007
【図６】
2007264629.tif 000008
【図７】
2007264629.tif 000009